(57)【要約】【課題】車台上にエンジン始動用のセルモータを駆動するバッテリを搭載すると、収穫して載置する野菜収容搭載の邪魔になり易く、又、野菜が濡れていたり、雨降り時の収穫のときは、バッテリが濡れ易く、濡電し易くなる。又、車台の下側にバッテリを配置すると、畝上面の高位置に栽培された作物野菜の上側部を跨いで走行するとき、バッテリと接触衝突し易く、作物の障害となり易い。【解決手段】クローラ２外側位置から更に垂直に上方へ延設する複数の支持アーム４を設け、クローラよりも後方且つ、前記操作パネル１０の下側位置と前記支持アーム４の屈曲部４ｋより上側位置との範囲Ａと、クローラ２の内側縁２ａとトラックフレーム３を支持する支持アーム４の外側縁４ａとの範囲Ｂとで形成される範囲ＡＢに、背面視においてエンジン６始動用のバッテリ１２の略全体部分が含まれるよう配置させたことを特徴とする高床形態の農用作業台車の構成とする。【選択図】図１
2017055667.tif 000002
【特許請求の範囲】
【請求項１】
クローラ転輪（１）の外周部にクローラ（２）を掛け渡して左右一対のトラックフレーム（３）上に、支持アーム（４）を介して支架する車台（５）を設け、この車台（５）の後端の左右一側上面部に、前記クローラ（２）を駆動するエンジン（６）と、走行操作機構（９）を配置する操作パネル（１０）を配置する高床形態の農用作業台車において、左右クローラ（２）、（２）の略横幅内のトラックフレーム（３）から上方外方へ向け傾斜延出し、クローラ（２）外側位置から更に垂直に上方へ延設する複数の支持アーム（４）を設け、クローラ（２）よりも後方且つ、前記操作パネル（１０）の下側位置と前記支持アーム（４）の屈曲部（４ｋ）より上側位置との範囲（Ａ）と、クローラ（２）の内側縁（２ａ）とトラックフレーム（３）を支持する支持アーム（４）の外側縁（４ａ）との範囲（Ｂ）とで形成される範囲（ＡＢ）に、背面視においてエンジン（６）始動用のバッテリ（１２）の略全体部分が含まれるよう配置させたことを特徴とする高床形態の農用作業台車。
【発明の詳細な説明】
【技術分野】
【０００１】
この発明は、農用作業台車に関するもので、作物栽培の圃場畝上を跨いで走行しながら、各畝上面の野菜を収穫して運搬処理する高床形態の農用作業台車の構成を簡潔化し、運転操作を行い易くするものである。
【背景技術】
【０００２】
平坦な車台を形成し、この車台の後端一側上面部に、エンジンを搭載し、操作パネルを配置して高床形態で、クローラ走行の作業台車の技術（例えば、特許文献1参照）が知られている。
【先行技術文献】
【特許文献】
【０００３】
【特許文献１】特許第３３８１１４９号公報
【発明の概要】
【発明が解決しようとする課題】
【０００４】
車台上にエンジン始動用のセルモータを駆動するバッテリを搭載すると、収穫して載置する野菜収容搭載の邪魔になり易く、又、野菜が濡れていたり、雨降り時の収穫のときは、バッテリが濡れ易く、濡電し易くなる。又、車台の下側にバッテリを配置すると、畝上面の高位置に栽培された作物野菜の上側部を跨いで走行するとき、バッテリと接触衝突し易く、作物の障害となり易い。
【課題を解決するための手段】
【０００５】
請求項１に記載の発明は、クローラ転輪１の外周部にクローラ２を掛け渡して左右一対のトラックフレーム３上に、支持アーム４を介して支架する車台５を設け、この車台５の後端の左右一側上面部に、前記クローラ２を駆動するエンジン６と、走行操作機構９を配置する操作パネル１０を配置する高床形態の農用作業台車において、左右クローラ２，２の略横幅内のトラックフレーム３から上方外方へ向け傾斜延出し、クローラ２外側位置から更に垂直に上方へ延設する複数の支持アーム４を設け、クローラよりも後方且つ、前記操作パネル１０の下側位置と前記支持アーム４の屈曲部４ｋより上側位置との範囲Ａと、クローラ２の内側縁２ａとトラックフレーム３を支持する支持アーム４の外側縁４ａとの範囲Ｂとで形成される範囲ＡＢに、背面視においてエンジン６始動用のバッテリ１２の略全体部分が含まれるよう配置させたことを特徴とする高床形態の農用作業台車の構成とする。
【０００６】
作業台車を走行するときは、運転者が車台５後側の操作パネル１０の後側位置の作物畝間の溝部を歩きながら、ハンドル１４を把持し、又、走行操作機構９を操作しながら、隣接畝上の野菜を収穫して、車台５上面に積込むことができる。このような車台５の走行駆動は、後側部に搭載のエンジン６を、バッテリ１２によって起動されるセルモータの駆動回転により始動させることによって、このエンジン６により左右のクローラ２を駆動回転して行われる。左右のクローラ２は、畝間の溝底部を踏んで走行し、車台５下側部の畝上面に作物があっても、この車台５下面が、トラックフレーム３や、支持アーム４を介して高床形態に維持されるため、畝上面の作物が、この車台５下面との接触によって損傷を受けることは少ない。又、車台５の下側部に突出するバッテリ１２は、このエンジン６や、操作パネル１０の下側部の位置と支持アーム４の屈曲部４ｋより上側位置との範囲Ａと、クローラ２の内側縁２ａと支持アーム４の外側縁４ａとの範囲Ｂ、即ち、範囲ＡＢの通過跡内において、バッテリ１２が走行移動されるものであるから、隣接畝上面に作物があっても、前記クローラ２や支持アーム４の通る畝間溝部上のバッテリ１２には接触し難い。
【発明の効果】
【０００７】
請求項１に記載の発明は、高床車台５形態の操作パネル１０下側における範囲ＡＢにバッテリ１２を配置することにより、バッテリ１２が作業走行時に畝上部の作物に対する接触、損傷を防止することができる。又、バッテリ１２は、車台５の後端下側部にあって、クローラ２の後端部よりも後方上部位置に設置されるため、上方から雨水や、水滴等を防止し、クローラ２回転による泥土飛散を受け難くすることができる。又、このような運転操作手元部において、バッテリ１２の取付け位置を高位置の設定するものであるから、運転操作の邪魔になり難く、バッテリ１２の着脱操作や上側部のエンジン６との関係位置を短くしてメンテナンス等を行い易くすることができる。
【図面の簡単な説明】
【０００８】
【図１】作業台車の側面図。
【図２】その平面図。
【図３】その背面図。
【発明を実施するための形態】
【０００９】
図面に基づいて、車台５は、角パイプ材から形成の縦、横フレームを平面視格子状に連結して、上面を平坦面に板張形成して、野菜等の収穫物を搭載し易くしている。この車台５の後端、左側部には、前側にエンジン６を搭載し、この後側に走行操作機構９を設ける搭載台１６を形成している。又、車台５の右側端部には、サイドフレーム１９が前後適数本の伸縮ロッド２０を介して、車台５横幅を拡縮可能に構成している。これらサイドフレーム１９の拡縮移動する形態において、車体本体側の車台５面との間に生ずる間隔部は、この間隔部上面を覆うように床板を敷設して、車台５の横幅を広くして、収穫物の載置面積を広くすることもできる。
【００１０】
前記車台５の下方に設けるクローラ２、及びトラックフレーム３の構成は、クローラ２の略横幅内のトラックフレーム３から上方外方へ向け傾斜延出し、クローラ２外側位置から更に垂直に上方へ延設する複数の支持アーム４を設け、このトラックフレーム３にはクローラ２の接地面に沿って配置される接地転輪１や、クローラ２の後端部を掛け渡す後端部１転輪、前端部を掛け渡して張圧する前端部転輪１、及びこのクローラ２の後端上部を掛け渡して、エンジン６により伝動して回転駆動される駆動スプロケット２１等の各転輪１を配置して、これら各転輪１の外周部に沿って、ゴム材を主体に構成されるゴムクローラ２を巻き掛けて走行することができる。この各支持アーム４の傾斜延出部は、トラックフレーム３の支持構成を堅固にすると共に、走行時に摺接する野菜を損傷させないように案内することができる。
【００１１】
前記各支持アーム４は、上下中間部に調節具２２を有して、この調節具２２の調整によって、各支持アーム４の高さ（長さ）を調節することが可能に構成して、作業畝高さに応じて、車床高を変更して走行することができる。前記のように各転輪１の外周部に亘って巻き掛けられたクローラ２の内側縁２ａとトラックフレーム３を支持する支持アーム４の外側縁４ａとの範囲Ｂと、操作パネル１０の下側位置と支持アーム４の屈曲部４ｋより上側位置との範囲Ａとで形成される範囲ＡＢに、前後位置についてはクローラ２後端から操作パネル１０の範囲Ｒにバッテリ１２、及びこのバッテリ１２を搭載保持するバッテリホルダを配置しているので、畝Ｅ上面の作物Ｃとバッテリ１２が接触することがなく、作物への損傷を防止することができる。
【００１２】
前記車台５は左右幅を変更可能に伸縮構造としている。２４はその左右幅変更を行うためのハンドル杆であり、回動することによってネジ軸を介して分割したサイドフレーム１９が移動して、これに伴って左右のクローラ２，２幅も変更される。尚、左右幅変更手段は油圧シリンダ等、適宜の伸縮手段により行えばよい。
【００１３】
前記搭載台１６の前部下側には、外側面を伝動カバー４５で覆う伝動ケース４６を設け、この伝動ケース４６の上部に軸装する駆動軸４７を、前記搭載台１６上に搭載のセルエンジン６からトランスミッションＴを介して駆動している。この駆動軸４７の前側下方位置には、前記クローラ２の後端部を掛け渡して回転する駆動スプロケット２１のスプロケット軸４８を軸装し、これら駆動軸４７とスプロケット軸４８との間をチエン４９掛けして伝動する形態である。前記エンジン６は、セルスタータモータによって駆動可能のセルエンジンの形態であるが、エンジン軸の外側部には、スタータロープ４１を有して、作業者がこのスタータロープ４１を引くことによってもエンジン６を起動可能に構成している。
【００１４】
このエンジン６の上側部を覆う側面視門形状の左、右両側部のガード杆２９と、このガード杆２９杆に亘って覆うエンジンカバー５０とを設け、このガード杆２９の後側部に後端下りの傾斜面に形成する操作パネル１０を開閉可能に取付けている。この操作パネル１０の上面には、左右各スプロケット軸４８への伝動を入り、切りするサイドクラッチ操作用のサイドクラッチレバー３０や、変速レバー８、走行クラッチレバー７等を操作案内する各ガイド穴を形成している。これらエンジン６の上側部覆うガード杆２９や、操作パネル１０、及び伝動カバー４５等の外側端面は、前記車台５や、搭載台１６、支持アーム４、及びクローラ２等の外側端面、乃至外側端縁と略同一前後方向面に沿って形成されて、車体走行時に、これらの外側面に摺接する作物を損傷させないように形成している。操作パネル１０後側には作業者が握って走行することのできるハンドル１４を設け該ハンドル１４の右側横端部にはエンジン６用のスロットルレバー３５を設けている。
【００１５】
前記ハンドル１４は、丸パイプ状の把持し易い形態として、前側上部の操作パネル１０の後端下縁部との間に、適宜の把持間隔を形成している。又、このハンドル１４の下側部には、適宜の把持間隔を形成して、平行状にガードバー１５を設ける。このガードバー１５は、通常時は上側のハンドル１４位置と略同位置、乃至このハンドル１４よりも前側に退避した位置にあり、前記走行クラッチレバー７によって走行クラッチを走行伝動位置に入れると、これに連動してガードバー１５がハンドル１４よりも後側位置へ突出するように、連動構成している。又、前記ガードバー１５の内側には、車台５後端部を横方向に沿って突出のレバー３６を設け、このレバー３６を作業者が操作したり、後側の作業者や、障害物が当たって、ガードバー１５を後側へ突出状態から前側へ作動することにより、走行クラッチを切りにすることができる。このガードカバー１５を設けたものについてはバッテリ１２を範囲Ｆに配置させれば良く、ガードカバー１５の下側にレバー３６を設けた構成のものについては範囲Ｇにバッテリ１２を配置させれば良い。又、車台５の前端左横端部には、走行クラッチレバー３７と、サイドクラッチレバー４０とを設けて、前記操作パネル１０に配置の走行クラッチレバー７や、サイドクラッチレバー３０と同操作を、車体５の前側部から行わせることができる。
【００１６】
ここにおいて、クローラ転輪1の外周部にクローラ２を掛け渡して左右一対のトラックフレーム３上に、支持アーム４を介して支架する車台５を設け、この車台５の後端の左右一側上面部に、前記クローラ２を駆動するエンジン６と、走行クラッチレバー７や変速レバー８等の走行操作機構９を配置する操作パネル１０を配置する高床形態の農用作業台車において、左右クローラ２，２の略横幅内のトラックフレーム３から上方外方へ向け傾斜延出し、クローラ２外側位置から更に垂直に上方へ延設する複数の支持アーム４を設け、クローラよりも後方且つ、前記操作パネル１０の下側位置と前記支持アーム４の屈曲部４ｋより上側位置との範囲Ａと、クローラ２の内側縁２ａとトラックフレーム３を支持する支持アーム４の外側縁４ａとの範囲Ｂとで形成される範囲ＡＢに、背面視においてエンジン６始動用のバッテリ１２の略全体部分が含まれるよう配置させたことを特徴とする高床形態の農用作業台車の構成とする。
【００１７】
作業台車を走行するときは、運転者が車台５後側の操作パネル１０の後側位置の作物畝間の溝部を歩きながら、ハンドル１４を把持し、又、走行操作機構９を操作しながら、隣接畝上の野菜を収穫して、車台５上面に積込むことができる。このような車台５の走行駆動は、後側部に搭載のエンジン６を、バッテリ１２によって起動されるセルモータの駆動回転により始動させることによって、このエンジン６により左右のクローラ２を駆動回転して行われる。左右のクローラ２は、畝間の溝底部を踏んで走行し、車台５下側部の畝上面に作物があっても、この車台５下面が、トラックフレーム３や、支持アーム４を介して高床形態に維持されるため、畝上面の作物が、この車台５下面との接触によって損傷を受けることは少ない。又、車台５の下側部に突出するバッテリ１２は、このエンジン６や、操作パネル１０の下側部の位置と支持アーム４の屈曲部４ｋより上側位置との範囲Ａと、クローラ２の内側縁２ａと支持アーム４の外側縁４ａとの範囲Ｂ、即ち、範囲ＡＢの通過跡内において、バッテリ１２が走行移動されるものであるから、隣接畝上面に作物があっても、前記クローラ２や支持アーム４の通る畝間溝部上のバッテリ１２には接触し難い。
【符号の説明】
【００１８】
１    クローラ転輪
２    クローラ
２ａ  内側縁
３    トラックフレーム
４    支持アーム
４ａ  外側縁
４ｋ  屈曲部
５    車台
６    エンジン
９    走行操作機構
１０  操作パネル
１２  バッテリ
Ａ    範囲
ＡＢ  範囲
Ｂ    範囲
【図１】
2017055667.tif 000003
【図２】
2017055667.tif 000004
【図３】
2017055667.tif 000005